(57)【要約】【課題】ボウル部の洗浄性能と汚物排出性能を向上させることができる水洗大便器を提供する。【解決手段】本発明の水洗大便器１は、一定の大流量の洗浄水を便器本体へ供給する給水装置４と、汚物受け面１６と、上縁に位置し内周面２２を有するリム部１８と、を備えたボウル部８と、汚物を排出する排水管路１２と、給水装置から供給された洗浄水をそのリム吐水口からリム部の内周面に沿って吐水し旋回流を形成するリム吐水部２４，２６と、を有し、リム部の内周面に洗浄水の通水路９０が形成され、この通水路は、底面８ｂと、側面２２ａと、上面２２ｂとからなり、ボウル部の前方領域の通水路９０は、リム吐水部２４から吐水された洗浄水が、通水路の底面及び側面に沿って上方に流れ、その後、通水路の上面によりガイドされてボウル部の内側下方へ流れ、これにより、ボウル部の前方領域から排水管路の入口に向かう洗浄水の主流Ｆ１を形成するように、構成される。【選択図】図１３
2015169004.tif 000002
【特許請求の範囲】
【請求項１】
洗浄水を便器本体に供給して洗浄する水洗大便器であって、
一定の大流量の洗浄水を所定時間継続して便器本体へ供給する給水装置と、
ボウル形状の汚物受け面と、上縁に位置し内側に露出する内周面を有するリム部と、を備えたボウル部と、
このボウル部の下方側に形成され汚物を排出する排水管路と、
上記給水装置から供給された洗浄水をそのリム吐水口から上記リム部の内周面に沿ってほぼ水平方向に吐水し旋回流を形成するリム吐水部と、を有し、
上記リム部の内周面と上記汚物受け面の一部により洗浄水の通水路が形成され、この通水路は、上記ボウル部の外側方向に向かって上方に傾斜する底面と、この底面の外縁から上方へ向かって延びる側面と、この側面の上端から上記ボウル部の内側方向に向かって延びる上面とからなり、
上記ボウル部の前方領域の通水路は、上記リム吐水部から吐水された洗浄水が、上記通水路の底面及び側面に沿って上方に流れ、その後、上記通水路の上面によりガイドされて上記ボウル部の内側下方へ流れ、これにより、ボウル部の前方領域から上記排水管路の入口に向かう洗浄水の主流を形成するように、構成されていることを特徴とする水洗大便器。
【請求項２】
上記ボウル部の前方領域は、平面視で曲率半径が最小であるボウル部の前端の近傍の下流領域である請求項１に記載の水洗大便器。
【請求項３】
上記リム部の最内周端から鉛直方向下方に下ろした直線と、この直線より外側に位置する上記ボウル部の内周面とにより取り囲まれる断面の断面積が、上記リム吐水部の吐水口の断面積よりも大きくなるように、上記ボウル部の前方領域の通水路が形成されている請求項１又は２に記載の水洗大便器。
【請求項４】
上記ボウル部の前方領域の通水路の上面は、その内周側の面が上記ボウル部の内側方向に向かってほぼ水平に延びるように形成されている請求項１乃至３の何れか１項に記載の水洗大便器。
【請求項５】
上記ボウル部の前方領域の汚物受け面が、上記排水管路の入口に向かって、ボウル部の幅方向に沿って凹形状に形成されている請求項１乃至４の何れか１項に記載の水洗断便器。
【請求項６】
上記ボウル部の前方領域の通水路の側面は、上記底面の外周端から外側に向かって上方に延びるように形成されている請求項１乃至５の何れか１項に記載の水洗大便器。
【請求項７】
上記給水装置は、洗浄水を貯水する貯水タンクと、少なくともその一部が上記貯水タンク内で水没した状態で配置されたジェットポンプユニットを備えている請求項１乃至６記載の水洗大便器。
【請求項８】
給水装置により洗浄水を便器本体に供給して洗浄する水洗大便器であって、
ボウル形状の汚物受け面と、上縁に位置し内側に露出する内周面を有するリム部と、を備えたボウル部と、
このボウル部の下方側に形成され汚物を排出する排水管路と、
上記給水装置から供給された洗浄水をそのリム吐水口から上記リム部の内周面に沿ってほぼ水平方向に吐水し旋回流を形成するリム吐水部と、を有し、
上記給水装置から供給された洗浄水は、上記リム吐水部のみから吐水されて上記ボウル部の汚物受け面が洗浄され、
上記リム部の内周面と上記汚物受け面の一部により洗浄水の通水路が形成され、この通水路は、上記ボウル部の外側方向に向かって上方に傾斜する底面と、この底面の外縁から上方へ向かって延びる側面と、この側面の上端から上記ボウル部の内側方向に向かって延びる上面とからなり、
上記ボウル部の前方領域の通水路は、上記リム吐水部から吐水された洗浄水が、上記通水路の底面及び側面に沿って上方に流れ、その後、上記通水路の上面によりガイドされて上記ボウル部の内側下方へ流れ、これにより、ボウル部の前方領域から上記排水管路の入口に向かう洗浄水の主流を形成するように、構成されていることを特徴とする水洗大便器。
【発明の詳細な説明】
【技術分野】
【０００１】
本発明は、水洗大便器に係り、特に、大流量の洗浄水が便器本体へ供給される水洗大便器に関する。
【背景技術】
【０００２】
従来から、例えば、特許文献１に示すように、便器の清掃性を向上させるために、便器のボウル部において、リム部を上方に向かってボウル部の内側空間へ張り出したオーバーハング形状により形成し、洗浄水をリム吐水口から水平方向へ吐水し、その洗浄水がリム部の内周面を旋回して、ボウル部のボウル面に流下させて洗浄するようにした水洗大便器が知られている。この水洗大便器においては、ボウル部の前方から排出管路に向かう主流を形成するために、ボウル部の棚の幅をボウル部の先端部に向かって徐々に狭くして、汚物の排出性能を向上させている。
【０００３】
一方、例えば、特許文献２に示されているように、大流量の洗浄水を継続的に便器に供給することができるジェットポンプ機構を備えた便器が知られている。
【先行技術文献】
【特許文献】
【０００４】
【特許文献１】特許第３６３６１９５号公報
【特許文献２】特開２００４−１５６３８２号公報
【発明の概要】
【発明が解決しようとする課題】
【０００５】
しかしながら、例えば、上述したジェットポンプ機構等により、便器本体に洗浄水を供給した場合、勢いの強い水が継続的に便器本体に供給されるので、リム部の内周面を旋回する洗浄水の勢いが強く、遠心力が大きな旋回流が形成され、ボウル部の前方から排水管路に向かう流れを形成することが難しくなり、それにより、洗浄性能が低下するという問題が発生する。また、ボウル部の汚物受け面においても旋回する洗浄水の勢いが強いので、汚物の排出性能を向上させるために必要なボウル部の前方から排水管路に向かう流れをより強いものにする必要がある。
【０００６】
また、ジェットポンプ機構等を用いない水洗大便器においても、洗浄水をリム吐水部のみから吐水する場合（ゼット吐水部から吐水しない水洗大便器等が対応する）には、リム吐水部から吐水される洗浄水量が比較的大流量となるので、同様な問題が発生する。
【０００７】
そこで、本発明者らは、鋭意研究することにより、リム吐水口から洗浄水を吐水し、この洗浄水がリム部の内周面を旋回する水洗大便器に、大流量の洗浄水を継続的に便器に供給するジェットポンプ機構等を適用した場合に生じる上述した問題点を解決し、本発明による水洗大便器を完成させたのである。
【０００８】
このように、本発明は、大流量の洗浄水が便器本体へ供給されても、ボウル部の洗浄性能と汚物排出性能を向上させることができる水洗大便器を提供することを目的としている。
【課題を解決するための手段】
【０００９】
上述した目的を達成するために、本発明は、洗浄水を便器本体に供給して洗浄する水洗大便器であって、一定の大流量の洗浄水を所定時間継続して便器本体へ供給する給水装置と、ボウル形状の汚物受け面と、上縁に位置し内側に露出する内周面を有するリム部と、を備えたボウル部と、このボウル部の下方側に形成され汚物を排出する排水管路と、給水装置から供給された洗浄水をそのリム吐水口からリム部の内周面に沿ってほぼ水平方向に吐水し旋回流を形成するリム吐水部と、を有し、リム部の内周面と汚物受け面の一部により洗浄水の通水路が形成され、この通水路は、ボウル部の外側方向に向かって上方に傾斜する底面と、この底面の外縁から上方へ向かって延びる側面と、この側面の上端からボウル部の内側方向に向かって延びる上面とからなり、ボウル部の前方領域の通水路は、リム吐水部から吐水された洗浄水が、通水路の底面及び側面に沿って上方に流れ、その後、通水路の上面によりガイドされてボウル部の内側下方へ流れ、これにより、ボウル部の前方領域から排水管路の入口に向かう洗浄水の主流を形成するように、構成されていることを特徴としている。
このように構成された本発明においては、給水装置により一定の大流量の洗浄水を所定時間継続して便器本体へ供給した場合であっても、リム吐水部から吐水された洗浄水が、ボウル部の前方領域の通水路において、通水路の底面及び側面に沿って上方に流れ、その後、通水路の上面によりガイドされてボウル部の内側下方へ流れるので、ボウル部の前方領域から排水管路の入口に向かう落差があり勢いの強い叩き込み主流を形成することができる。この結果、本発明によれば、大流量の旋回流でボウル部を洗浄しつつ、勢いの強い主流により排水管路に向かう流れを形成するので、ボウル部の洗浄性能と汚物の排出性能を向上させることができる。
【００１０】
本発明において、好ましくは、ボウル部の前方領域は、平面視で曲率半径が最小であるボウル部の前端の近傍の下流領域である。
このように構成された本発明においては、平面視で曲率半径が最小であるボウル部の前端の近傍の下流領域に形成された通水路により、リム吐水部から吐水された洗浄水が、通水路の底面及び側面に沿って上方に流れ、その後、通水路の上面によりガイドされてボウル部の内側下方へ流れるので、ボウル部の前方領域から排水管路の入口に向かう落差があり勢いの強い叩き込み主流を形成することができる。
【００１１】
本発明において、好ましくは、リム部の最内周端から鉛直方向下方に下ろした直線と、この直線より外側に位置するボウル部の内周面とにより取り囲まれる断面の断面積が、リム吐水部の吐水口の断面積よりも大きくなるように、ボウル部の前方領域の通水路が形成されている。
このように構成された本発明においては、ボウル部の前方領域の通水路の断面積がリム吐水口の断面積よりも大きくなるように形成されているので、ボウル部の前方領域の通水路には十分な容積があり、そのため、通水路の底面及び側面に沿って上方に流れ、その後、通水路の上面によりガイドされてボウル部の内側下方へ流れる落差があり勢いの強い叩き込み主流を確実に形成することができる。
【００１２】
本発明において、好ましくは、ボウル部の前方領域の通水路の上面は、その内周側の面がボウル部の内側方向に向かってほぼ水平に延びるように形成されている。
このように構成された本発明においては、ボウル部の前方領域の通水路の上面は、その内周側の面がボウル部の内側方向に向かってほぼ水平に延びるように形成されているので、通水路の上面によりガイドされボウル部の内側下方に流れる主流を確実に形成することができる。
【００１３】
本発明において、好ましくは、ボウル部の前方領域の汚物受け面が、排水管路の入口に向かって、ボウル部の幅方向に沿って凹形状に形成されている。
このように構成された本発明においては、ボウル部の前方領域の通水路で形成された落差の主流を、排水管路の入口に向けてスムーズに流すことができる。これにより、汚物の排出性能を向上させることができる。
【００１４】
本発明において、好ましくは、ボウル部の前方領域の通水路の側面は、底面の外周端から外側に向かって上方に延びるように形成されている。
このように構成された本発明においては、ボウル部の前方領域の通水路の側面が、底面の外周端から外側に向かって延びるように形成されているので、洗浄水を底面から側面に沿って確実に上方に流すことができるので、落差があり勢いの強い主流を形成することができる。
【００１５】
本発明において、好ましくは、給水装置は、洗浄水を貯水する貯水タンクと、少なくともその一部が上記貯水タンク内で水没した状態で配置されたジェットポンプユニットを備えている。
このように構成された本発明においては、給水装置が、一定の大流量の洗浄水を所定時間継続して便器本体へ供給するジェットポンプユニットを備えているので、大流量の旋回流でボウル部を洗浄しつつ、勢いのある強い主流により排水管路に向かう流れを形成することができるため、ボウル部の洗浄性能と汚物の排出性能を向上させることができる。
【００１６】
本発明は、給水装置により洗浄水を便器本体に供給して洗浄する水洗大便器であって、ボウル形状の汚物受け面と、上縁に位置し内側に露出する内周面を有するリム部と、を備えたボウル部と、このボウル部の下方側に形成され汚物を排出する排水管路と、給水装置から供給された洗浄水をそのリム吐水口からリム部の内周面に沿ってほぼ水平方向に吐水し旋回流を形成するリム吐水部と、を有し、給水装置から供給された洗浄水は、リム吐水部のみから吐水されてボウル部の汚物受け面が洗浄され、リム部の内周面と汚物受け面の一部により洗浄水の通水路が形成され、この通水路は、ボウル部の外側方向に向かって上方に傾斜する底面と、この底面の外縁から上方へ向かって延びる側面と、この側面の上端からボウル部の内側方向に向かって延びる上面とからなり、ボウル部の前方領域の通水路は、リム吐水部から吐水された洗浄水が、通水路の底面及び側面に沿って上方に流れ、その後、通水路の上面によりガイドされてボウル部の内側下方へ流れ、これにより、ボウル部の前方領域から排水管路の入口に向かう洗浄水の主流を形成するように、構成されていることを特徴としている。
このように構成された本発明においては、給水装置から給水される洗浄水がリム吐水部のみから吐水されるので、リム吐水部から吐水される洗浄水量は比較的大流量となり、このリム吐水部から吐水された洗浄水が、ボウル部の前方領域の通水路において、通水路の底面及び側面に沿って上方に流れ、その後、通水路の上面によりガイドされてボウル部の内側下方へ流れるので、ボウル部の前方領域から排水管路の入口に向かう落差があり勢いの強い叩き込み主流を形成することができる。この結果、本発明によれば、大流量の旋回流でボウル部を洗浄しつつ、勢いの強い主流により排水管路に向かう流れを形成するので、ボウル部の洗浄性能と汚物の排出性能を向上させることができる。
【発明の効果】
【００１７】
本発明の水洗大便器によれば、大流量の洗浄水が便器本体へ供給されても、ボウル部の洗浄性能と汚物排出性能を向上させることができる。
【図面の簡単な説明】
【００１８】
【図１】本発明の実施形態による水洗大便器を示す平面図である。
【図２】図１のII−II線に沿って見た断面図である。
【図３】図１のIII−III線に沿って見た断面図である。
【図４】図１のIV−IV線に沿って見た断面図である。
【図５】図１のV−V線に沿って見た断面図である。
【図６】図１のVI−VI線に沿って見た断面図である。
【図７】本発明の実施形態による水洗大便器の給水装置を示す平面図である。
【図８】図７の正面図である。
【図９】図７の給水装置を示す概略正面図である。
【図１０】図７の給水装置により供給される洗浄水の瞬間流量と時間との関係を示す線図である。
【図１１】本発明の実施形態による水洗大便器の便器本体を示す平面図である。
【図１２】図１１のXII−XII線に沿って見た部分断面図である。
【図１３】図１１のXIII−XIII線に沿って見た部分断面図である。
【図１４】本発明の実施形態による水洗大便器における洗浄水の流れの様子を示す平面図である。
【図１５】図１４のXV−XV線に沿って見た斜視断面図である。
【図１６】図１１のXIII−XIII線に沿って見た部分の洗浄水の流れの様子を示す部分断面図である。
【発明を実施するための形態】
【００１９】
次に、添付図面を参照して、本発明の実施形態による水洗大便器を説明する。先ず、図１乃至図６により、本発明の実施形態による水洗大便器の基本構造を説明する。図１は本発明の実施形態による水洗大便器を示す平面図であり、図２は図１のII−II線に沿って見た断面図であり、図３は図１のIII−III線に沿って見た断面図であり、図４は図１のIV−IV線に沿って見た断面図であり、図５は図１のV−V線に沿って見た断面図であり、図６は図１のVI−VI線に沿って見た断面図である。
【００２０】
本発明の実施形態による水洗大便器１は、床に設置された排水管（図示せず）に後述する排水トラップ管路が接続される床排水タイプの洗落し式水洗大便器である。
図１及び図２に示すように、水洗大便器１は、便器本体２と、この便器本体２に洗浄水を供給する給水装置４を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水管路１２が形成されている。
【００２１】
上述した給水装置４は、貯水タンク５及び後述するジェットポンプユニット６を備えている。なお。本発明は、貯水タンクを持たず水道から直接洗浄水が供給される直圧式水洗大便器や、フラッシュバルブにより洗浄水が供給されるタイプの水洗大便器等にも適用できる。
【００２２】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に向かってオーバーハングした形状に形成されている。
【００２３】
ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、同一方向（図１では反時計回りの方向）に旋回し、旋回流を形成するようになっている。
【００２４】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
上述した水洗大便器１においては、第１リム吐水口２４、第１通水路２８及び第２リム吐水口２６、第２通水路３０は、陶器製の便器本体２と一体に形成されているが、本実施形態による水洗大便器は、この形態に限られず、第１リム吐水口、第１通水路及び第２リム吐水口、第２通水路を便器本体とは別体のディストリビユータ等により形成するようにしても良い。
【００２５】
ここで、図３乃至図６に示すように、リム部１８の第１リム吐水口２４から第２リム吐水口２６までの領域は、その内周面２２に沿って洗浄水が流れる通水路となるように、上述したように、内側に向かってオーバーハングした形状に形成されている。
【００２６】
さらに、排水管路１２は、凹部２０の底面と接続しほぼ同一径（ほぼ同一断面形状）を有し且つ後方下方へ延びる導入管路３２と、この導水管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２７】
次に、図７乃至図１０により、本発明の実施形態による水洗大便器１の給水装置４について説明する。図７は本発明の実施形態による水洗大便器の給水装置を示す平面図であり、図８は図７の正面図であり、図９は図７の給水装置を示す概略正面図であり、図１０は図７の給水装置により供給される洗浄水の瞬間流量と時間との関係を示す線図である。なお、図９において、便宜上、ジェットノズル及びスロート管の配置が図７及び図８に示されたものと異なる配置に描かれている。
【００２８】
水洗大便器１の給水装置４は、貯水タンク５と、この貯水タンク５に洗浄水を供給する給水管路３６と、この給水管路３６に設けられた給水弁装置３８と、この給水管路３６の下流端に設けられ便器本体２に洗浄水を供給するためのジェットポンプユニット６と、使用者が手動操作により洗浄水の給水を行うための手動レバー４０を備えている。
【００２９】
給水管路３６の上流端には、外部の給水源から供給される洗浄水を止水するための止水栓４１が設けられている。この止水栓４１は、通常使用時は開状態に保持されている。
【００３０】
ジェットポンプユニット６は、逆Ｖ字形状のスロート管４２と、ジェットノズル４４とを備えている。具体的には、スロート管４２の下流端が便器本体２の共通通水路１０に連通する排水口４５に接続され、その上流端には吸引口４２ａが形成され、この吸引口４２ａが貯水タンク５内の下部に位置するようになっている。さらに、スロート管４２の吸引口４２ａに対向するように、ジェットノズル４４が配置され、スロート管４２の吸引口４２ａとジェットノズル４４は、常時、貯水タンク５内で水没した状態となっている。
【００３１】
ジェットポンプ６は、ジェットノズル４４からスロート管４２の吸引口４２ａに向けて高速の洗浄水を噴射し、このとき、ジェットノズル４４に近いスロート管４２内の吸引口４２ａ近傍の空間が負圧となり、この負圧によりジェットポンプ作用（エジェクタ効果）を誘発させることにより、貯水タンク５内の近傍の洗浄水を吸引し、この洗浄水とジェットノズル４４から噴出される洗浄水とが一緒になり、スロート管４２内を流れ、排水口４５を経て、便器本体２の共通通水路１０に供給されるようになっている。
【００３２】
給水管路３６には、上述した給水弁装置３８以外に、給水弁装置３８の上流側に定流量弁４６が、下流側に真空破壊弁４８が設けられている。この定流量弁４６は、給水弁装置３８に供給される洗浄水を定流量とするためのものであり、真空破壊弁４８は、外部から空気を吸入して真空破壊弁４８からジェットノズル４４までの管路内が負圧にならないようにするためのものである。
【００３３】
給水弁装置３８は、パイロット式ダイアフラム弁であり、主弁座５０と、この主弁座５０に着座して止水する止水状態と主弁座５０から離間して給水する給水状態とを切り換えるダイアフラム弁である主弁体５２と、その内部の圧力により主弁体５２を主弁座５０に対して移動させる圧力室５４とを備えている。圧力室５４には、圧力室５４の圧力を開放する第一穴５６及び第二穴５８と、上述した手動レバー４０における使用者の手動操作と連動して第一穴５６を開閉する第一パイロット弁６０と、貯水タンク５内の洗浄水の水位に伴い上下動するフロート６２と、このフロート６２の上下動により第二穴５８を開閉する第二パイロット弁６４が設けられている。
【００３４】
また、主弁体５２には、ブリード穴（図示せず）が設けられており、止水状態のとき、ブリード穴により給水管路３６の一次側流路Ａと圧力室５４の内部とが連通するようになっている。ここで、第一穴５６は、その開口面積が第二穴５８の開口面積よりも大きく形成されている。また、第一穴５６は、第二穴５８よりも、図９に示すように、上方位置に形成されている。
【００３５】
第一パイロット弁６０は、駆動軸６５により手動レバー４０に接続され、使用者の手動レバー４０の手動操作により、第一穴５６を開閉するようになっている。ここで、手動レバー４０は、図８において、手前側（一方向）に回動操作させた場合には大洗浄がなされ、奥側（他方向）に回動操作させた場合には小洗浄がなされるようになっている。
【００３６】
この給水弁装置３８は、通常は止水状態であり、止水状態では、第一穴５６及び第二穴５８は共に塞がれており、且つ、給水管路３６の一次側流路Ａは圧力室５４とブリード穴を通じて連通しているため、一次側流路Ａと圧力室５４の水圧は同じ水圧（＝一次側流路圧力）、また二次側流路Ｂは大気開放となり、主弁体５２に水圧が作用する面積の方が一次側流路Ａの面積よりも大であるので、主弁体５２は主弁座５２に押付けられ閉じられている。
【００３７】
給水弁装置３８において、第一穴５６及び/又は第二穴５８が第一パイロット弁６０及び/又は第二パイロット弁６４により開放されると、圧力室５４から洗浄水が流出し、圧力室５４内の圧力が低下し、主弁体５２が主弁座５０から離れるように移動し、開弁し、吐水状態となる。
【００３８】
給水弁装置３８において、第一穴５６及び第二穴５８が第一パイロット弁６０及び第二パイロット弁６４により閉じられると、再度圧力室５４の圧力が一次側流路圧力となり、主弁体５２が主弁座５０に向けて移動し、最終的に閉弁された状態（止水状態）となる。なお、このとき、一次側流路Ａの洗浄水が、圧力室５４内へブリード穴から少しずつ注入されるため、第一穴５６及び第二穴５８を塞いでから、所定時間遅れて、主弁体５２が閉弁状態（止水状態）となるようになっている。
【００３９】
次に、図９に示すように、スロート管４２の下端近傍には、ジェット吐水とタンク貯水とを切換えるための切換弁６６と、この切換弁６６に取り付けられたフロート６８が設けられている。このフロート６８は、貯水タンク５内の水位により上下動するため、水位が低くなったときは、フロート６８も下降し、それにより、切換弁６６がスロート管４２内の流路を塞ぐようになっている。スロート管４２内の流路が塞がれた状態では、ジェットノズル４４から噴射された洗浄水は、切換弁６６に衝突し、スロート管４２内を流れることなく、貯水タンク５内に流れ、貯水タンク５内に貯水される。また、所定水位に達して貯水が完了すると、フロート６８も上昇し、それにより、切換弁６６がスロート管４２内の流路を開放するようになっている。スロート管４２内の流路を開放された状態では、ジェットノズル４４から噴射された洗浄水は、スロート管４２内を流れ、便器本体２に供給されるようになっている。
【００４０】
さらに、貯水タンク５内には、大洗浄及び小洗浄に必要な洗浄水量を切り換えるための大小洗浄切換機構７０が設けられている。この大小洗浄切換機構７０は、貯水タンク５内をジェットノズル４４及びスロート管４２の吸引口４２ａを取り囲む空間と他の空間とを仕切りその上方が開放されている仕切壁７２と、この仕切壁７２に形成された開口７４と、この開口７４を開閉するために仕切壁７２に取り付けられた開閉弁７６と、を備えている。
【００４１】
大小洗浄切換機構７０の開閉弁７６は、鎖７８により駆動軸６５に接続され、小洗浄のために、使用者により手動レバー４０が他方向に回動操作された場合に、鎖７８により開閉弁７６が引き上げされ、開閉弁７６により開口７４を閉じるようになっている。
【００４２】
次に、貯水タンク５内には、便器本体２を洗浄後に便器本体２に補給水を供給するため補給水供給パイプ８２が設けられている。この補給水供給パイプ８２の下方端８２ａはスロート管４２の下流側端に連通し、上方端８２ｂには補給水供給口８４が形成されている。
【００４３】
図９に示すように、貯水タンク５内の水位ＷＬは、以下の位置となる。水位ＷＬ１は仕切壁７２の開口７４の下端位置であり大洗浄が終了したときの水位を示し、水位ＷＬ２は仕切壁７２の上端位置であり小洗浄が終了したときの水位を示し、水位ＷＬ３は水洗大便器１の使用前又は使用後の通常の水位を示し、水位ＷＬ４は大洗浄又は小洗浄後に給水弁装置３８により貯水タンク３０内に洗浄水が給水されその後給水が停止した直後（且つ洗浄水補給前）の止水状態を示す水位である。
【００４４】
図１０に示されているように、ジェットポンプユニット６を備えた給水装置４は、一定の大流量の洗浄水を所定時間継続して便器本体２へ供給することができる。具体的に言えば、給水装置４は、例えば、瞬間流量８５Ｌ／分の洗浄水を４秒間継続して便器本体２へ供給するようになっている。なお、給水装置４による瞬間流量は、約６５Ｌ/分〜約８５Ｌ/分の範囲の大流量が好ましくは、また、約３秒〜約７秒継続して供給することが好ましい。
【００４５】
次に、図１乃至図３、及び、図１１乃至図１６により、本実施形態による水洗大便器１のボウル部８のリム部１８の構造について詳細に説明する。図１１は本発明の実施形態による水洗大便器の便器本体を示す平面図であり、図１２は図１１のXII−XII線に沿って見た部分断面図であり、図１３は図１１のXIII−XIII線に沿って見た部分断面図であり、図１４は本発明の実施形態による水洗大便器における洗浄水の流れの様子を示す平面図であり、図１５は本発明の実施形態による水洗大便器における洗浄水の流れの様子を示す斜視断面図であり、図１６は図１１のXIII−XIII線に沿って見た部分の洗浄水の流れの様子を示す部分断面図である。
【００４６】
先ず、図１２に示すように、第１リム吐水口２４は、その断面が矩形形状であり、その吐水口の断面積が面積Ｄ１となっている。
【００４７】
次に、図１及び図２に示すように、本実施形態による水洗断便器１において、上述したように、リム部１８は、その内周面２２が、ボウル部８の内側空間に露出し且つ内側空間に向かって上方に延びる形状、具体的には、内側に向かって延びるオーバーハング形状に形成されている。
【００４８】
図１１に示すように、本実施形態による水洗大便器は、ボウル部８の前端８ａにおいて曲率半径が最小となる形状に形成され、このボウル部８の前端８ａを含む前方領域、好ましくは、前端８ａの近傍の下流領域Ｓにおいて、リム部１８が以下のような構造となっている。ここで、ボウル部８の前端８ａの近傍の下流領域Ｓは、平面視で、導水配管３２の入口３２ａの中心から前端８ａまで延びる線に対して、１０度〜２８度の角度αだけ下流の領域である。
【００４９】
図１３に示すように、ボウル部８の前端８ａの近傍の下流領域Ｓにおいて、リム部１８の最内周端から鉛直方向に下ろした直線Ｍと、この直線Ｍより外側に位置するボウル部８の底面８ｂ（汚物受け面１６の一部でもある）及びリム部１８の内周面２２（側面２２ａ、上面２２ｂ）とにより取り囲まれる部分が、洗浄水の通水路９０であり、この通水路９０の断面積が面積Ｄ２となっている。
【００５０】
この通水路９０の断面積が面積Ｄ２は、上述した第１リム吐水口２４の吐水口の断面Ｄ１より大きくなるように形成されている。
図１３に示すように、本実施形態においては、リム部１８の内周面２２が連続するオーバーハング形状に形成されているので、通水路９０の側面２２ａと上面２２ｂも連続する形状となっている。
【００５１】
具体的には、洗浄水の通水路９０は、その底面８ｂが外側に向かって上方の延び、次に、側面２２ａが底面８ｂの外周端から外側に向かって上方に延び、上面２２ｂが側面２２ａの上端から内側に向かって延びている。この上面２２ｂの内周側の面は、ボウル部８の内側方向に向かってほぼ水平に延びるように形成されている。
【００５２】
この洗浄水の通水路９０の具体的な形状は、図１３に示すように、上面２２ｂの内周端から外周端までの距離Ｌ１が２０〜４０ｍｍ、底面８ｂの内周端から外周端までの距離Ｌ２が１０〜４０ｍｍ、上面２２ｂの上端から側面２２ａの下端までの距離（高さ）Ｌ３が４０〜８０ｍｍ、側面２２ａの水平線からの外側に傾斜した傾斜角度βが６０度〜８０度である。
【００５３】
ここで、図１及び図３に示すように、ボウル部８の前方領域の汚物受け面１６は、排水管路１２の入口に向かって、ボウル部８の幅方向に沿って凹形状に形成されている（図３参照）。
【００５４】
次に、上述した本発明の実施形態による水洗大便器１による作用効果を説明する。先ず、使用者が給水装置４の手動レバー４０を操作すると、給水弁装置３８により外部の給水源から供給される洗浄水がジェットノズル４４に到達し、ジェットノズル４４から洗浄水がスロート管４２の吸引口４２ａに向けて噴射される。このとき、スロート管４１２の吸引口４２ａ付近は負圧となるので、貯水タンク５内に貯水された洗浄水もスロート管４２内に吸引され、給水装置４により外部から供給される洗浄水と貯水タンク５内に洗浄水が一緒になってスロート管４２内を流れ、便器本体１に供給され、ボウル部８の洗浄が開始される。このとき、給水装置４からは、図１０に示すように、一定の大流量の洗浄水が所定時間継続して便器本体２へ供給される。
【００５５】
便器本体１においては、第１リム吐水口２４は、洗浄水を前方に向けてほぼ水平方向に吐水し、第２リム吐水口２６は、洗浄水を後方に向けてほぼ水平方向に吐水し、同一方向（反時計回り）に旋回する旋回流を形成するようになっている。この旋回流は、大流量であるので、ボウル部８の汚物受け面１６が良好に洗浄される。
【００５６】
次に、図１４乃至図１６に示すように、第１リム吐水口２４から吐水された洗浄水が、ボウル部８の前方領域の通水路９０、特に、ボウル部８の前端の近傍の下流領域の通水路９０において、通水路９０の底面８ａ及び側面２２ａに沿って上方に流れ、その後、上面２２ｂによりガイドされてボウル部８の内側下方へ流れる。このように、洗浄水が通水路９０においてガイドされるので、ボウル部８の前方領域から排水管路１２の入口に向かう落差があり勢いの強い叩き込み主流Ｆ１が形成される。これにより、本実施形態による水洗大便器１においては、大流量の旋回流でボウル部８を洗浄しつつ、勢いの強い主流Ｆ１により排水管路１２に向かう流れを形成するので、ボウル部８の洗浄性能と汚物の排出性能を向上させることができる。
【００５７】
また、上述したように、本発明においては、ボウル部８の前方領域の通水路９０の断面積Ｄ２が第１リム吐水口の断面積Ｄ１よりも大きくなるように形成されているので、ボウル部８の前方領域の通水路９０には十分な容積があり、そのため、通水路９０の底面８ａ及び側面２２ａに沿って上方に流れ、その後、上面２２ｂによりガイドされてボウル部８の内側下方へ流れる落差があり勢いの強い叩き込み主流Ｆ１を確実に形成することができる。
【００５８】
また、ボウル部８の前方領域の通水路９０の上面２２ｂは、その内周側の面がボウル部８の内側方向に向かってほぼ水平に延びるように形成されているので、通水路９０の上面２２ｂによりガイドされボウル部の内側下方に流れる主流Ｆ１を確実に形成することができる。
【００５９】
また、ボウル部８の前方領域の汚物受け面１６が、排水管路１２の入口に向かって、ボウル部８の幅方向に沿って凹形状に形成されているので、ボウル部８の前方領域の通水路９０で形成された落差の主流を、排水管路１２の入口に向けてスムーズに流すことができる。これにより、汚物の排出性能を向上させることができる。
【００６０】
また、ボウル部８の前方領域の通水路９０の側面２２ａが、底面８ｂの外周端から外側に向かって上方に延びるように形成されているので、洗浄水を底面８ａから側面２２ａに沿って確実に上方に流すことができるので、落差があり勢いの強い主流を形成することができる。
【００６１】
さらに、本実施形態による水洗大便器１においては、給水装置４が、一定の大流量の洗浄水を所定時間継続して便器本体へ供給するジェットポンプユニット６を備えているので、大流量の旋回流でボウル部８を洗浄しつつ、勢いのある強い主流Ｆ１により排水管路１２に向かう流れを形成することができるため、ボウル部の洗浄性能と汚物の排出性能を向上させることができる。
【００６２】
ここで、上述した実施形態は、ジェットポンプ６を備えた給水装置５を用いた水洗大便器であるが、本発明は、このジェットポンプ６を備えた給水装置５を用いず、且つ、リム吐水口からのみ洗浄水を吐水するタイプの水洗大便器にも適用可能である。リム吐水口からのみ洗浄水を吐水する場合には、吐水される洗浄水が大流量となるので、同様に、リム部の通水路を形成することにより、大流量の旋回流でボウル部を洗浄しつつ、勢いの強い主流により排水管路に向かう流れを形成するので、ボウル部の洗浄性能と汚物の排出性能を向上させることができる。
【符号の説明】
【００６３】
１  水洗大便器
２  便器本体
４  給水装置
５  貯水タンク
６  ジェットポンプユニット
８  ボウル部
８ａ  通水路の底面
１６  汚物受け面
１８  リム部
２２  リム部の内周面
２２ａ  通水路の側面
２２ｂ  通水路の上面
２４  第１リム吐水口
２６  第２リム吐水口
９０  通水路
Ｄ１  第１リム吐水口の断面積
Ｄ２  リム部の内周面の通水路の断面積
【図１】
2015169004.tif 000003
【図２】
2015169004.tif 000004
【図３】
2015169004.tif 000005
【図４】
2015169004.tif 000006
【図５】
2015169004.tif 000007
【図６】
2015169004.tif 000008
【図７】
2015169004.tif 000009
【図８】
2015169004.tif 000010
【図９】
2015169004.tif 000011
【図１０】
2015169004.tif 000012
【図１１】
2015169004.tif 000013
【図１２】
2015169004.tif 000014
【図１３】
2015169004.tif 000015
【図１４】
2015169004.tif 000016
【図１５】
2015169004.tif 000017
【図１６】
2015169004.tif 000018